(57)【特許請求の範囲】
【請求項１】
一の素材を用いて一体形成された履物の本底であって、
前記履物の本底の底面は、
足の第２末節骨，第２中節骨，第２基節骨，第２中足骨頭部から第３中足骨の中間部側に沿ってく字型に屈曲して設けられた中央溝と、
前記足の中足趾節関節部に沿って第１中足骨側の側端から前記中央溝と交差して第５中足骨側の側端まで設けられた速歩用屈曲誘導溝と、
前記中央溝と前記速歩用屈曲誘導溝との交差部位から該速歩用屈曲誘導溝よりも後方で前記足の中足趾節関節部に沿いながら前記第５中足骨側の側端まで設けられた通常歩行用屈曲誘導溝と、
を有することを特徴とする履物の本底。
【請求項２】
前記履物の本底の底面は、前記足の第２中足骨頭部と第３中足骨頭部とに対応する領域に前後方向を卵形状に窪ませて地面に接しないように設けられた除圧部を有することを特徴とする請求項１記載の履物の本底。
【請求項３】
請求項１又は請求項２記載の本底を備えたことを特徴とする履物。
【請求項４】
ヒールの高さが３ｃｍ以上であることを特徴とする請求項３記載の履物。
【発明の詳細な説明】
【技術分野】
【０００１】
本発明は、歩行速度変化に対応して、歩きやすく疲れにくい歩行が得られる履物の本底、該本底を備えた履物に関する。
【背景技術】
【０００２】
履物の歩行しやすさは、中足趾節関節部に対応する部位の屈曲性に依存するが、例えば特許文献１に記載された履物では、中敷きの母趾部に対応する部位に軟質材料、第２乃至第５趾部に対応する部位に硬質材料を用いて運動性を良好にしている。
【０００３】
また、特許文献２に記載された履物の本底では、硬質材料と軟質材料を上下二層を成すように組み合わせて爪先が屈曲しやすいようにしている。
【０００４】
さらに、特許文献３に記載された履物では、底面に第２趾部の付け根部分から第５趾部の付け根部分に沿って略Ｌ字形の溝を延設し、さらに底面における土踏まずの前縁に対応する部位に安定区域を形成するための横方向に延びる溝を設けることにより、前足部の屈曲性の向上を図っている。
【特許文献１】特開平０２−１１４９０４号公報
【特許文献２】実公平０２−２３１２６号公報
【特許文献３】実登平０５−４７２４号公報
【発明の開示】
【発明が解決しようとする課題】
【０００５】
歩行時における中足趾節関節部の運動は、踵接地時に軽度背屈、足底接地時に中間位、踏み切り時に最大背屈するのが生理的であるが、この底屈背屈運動をできる限り阻害しない履物が理想的である。
【０００６】
スポーツ用の靴では、本底の中足趾節関節部が屈曲しやすいように、本底の全体または一部に軟質材料を用いたものが存在するが、例えば高さ３ｃｍ以上のヒールを備えた婦人用パンプス靴（以下、パンプスと記す）のようなヒールの高い履物では見当たらない。これは、本底の中足趾節関節部が屈曲しやすいという機能性よりも、硬い本底により形崩れを防止して美的外観を優先していることによる。
【０００７】
従来、例えばパンプスのようなヒールの高い履物は、中足趾節関節を屈曲しやすくして歩行に適するように設計されておらず、ファッションの一部として見せるためのものありながら、実際には、様々な場面で使用され、通常の歩行ばかりでなく、ゆっくり歩いたり速く歩いたりと歩行速度が変化するため、中足趾節関節部の屈曲しづらさにより踵が脱け出たり、運動力伝達効率が悪くて疲れやすい等の問題が生じていた。
【０００８】
通常の歩行速度において、足部が接地して踏み切りするまでの間、足底圧力中心（COP : Center Of Pressure、以下ＣＯＰ）の軌跡は、図２に示す７のように踵部から足部外側を通り、足幅を外側から内側へと横切るように進んで母趾部１２の先端へと移動し、中足趾節関節部６における本底の屈曲は、通常の歩行速度におけるＣＯＰ軌跡９となる。
【０００９】
歩行速度が上昇するにしたがってＣＯＰの軌跡は、８のように次第に中心部へと収束し、中足趾節関節部６における本底の屈曲は、通常の歩行速度におけるＣＯＰ軌跡９となるが、特にパンプスでは中足趾節関節部６が屈曲しやすくした歩行に適した靴として設計されていないため、この屈曲性が悪く、下肢の筋負担が増加して疲労度が増すといった問題が生じていた。
【００１０】
本発明は上記事情に鑑みて創案されたものであり、その目的は、変化する歩行速度に対応して生理的屈曲を行い、歩きやすく疲れにくい履物の本底、及び該本底を備えた履物を提供することにある。
【課題を解決するための手段】
【００１１】
上記目的を達成するために、請求項１記載の発明は、一の素材を用いて一体形成された履物の本底であって、
前記履物の本底の底面は、
足の第２末節骨，第２中節骨，第２基節骨，第２中足骨頭部から第３中足骨の中間部側に沿ってく字型に屈曲して設けられた中央溝と、
前記足の中足趾節関節部に沿って第１中足骨側の側端から前記中央溝と交差して第５中足骨側の側端まで設けられた速歩用屈曲誘導溝と、
前記中央溝と前記速歩用屈曲誘導溝との交差部位から該速歩用屈曲誘導溝よりも後方で前記足の中足趾節関節部に沿いながら前記第５中足骨側の側端まで設けられた通常歩行用屈曲誘導溝と、
を有することを特徴とする履物の本底である。
【００１２】
また、請求項２記載の発明は、上記した請求項１記載の発明の履物の本底において、
前記履物の本底の底面は、前記足の第２中足骨頭部と第３中足骨頭部とに対応する領域に前後方向を卵形状に窪ませて地面に接しないように設けられた除圧部を有することを特徴とする履物の本底である。
【００１３】
また、請求項３記載の発明は、上記した請求項１又は請求項２記載の発明の本底を備えたことを特徴とする履物である。
【００１４】
また、請求項４記載の発明は、上記した請求項３記載の発明の履物において、ヒールの高さが３ｃｍ以上であることを特徴とする履物である。
【発明の効果】
【００１５】
請求項１記載の履物の本底によれば、履物の本底の底面は、中央溝と、速歩用屈曲誘導溝と、通常歩行用屈曲誘導溝と、を有していることにより、歩行速度が変化しても上記した溝ごとにそれぞれの目的に応じて生理的屈曲に近似した方向へ屈曲が補助誘導されるために、歩きやすく疲れにくい歩行を得ることができる。この際、中央溝は、歩行時の内外側の運動方向を補助誘導できる。また、通常の歩行速度に対応した通常歩行用屈曲誘導溝と、速い歩行速度に対応した速歩用屈曲誘導溝とを備えることにより、各歩行速度に対応した効果をより確実に得ることができる。
【００１６】
また、請求項２記載の履物の本底によれば、請求項１記載の履物の本底において、履物の底面は、除圧部を有していることにより、上記した請求項１記載の効果が得られる他に、体重負荷に対する地面からの反作用としての圧力が第２中足骨頭部と第３中足骨頭部に集中しなくなるために、胼胝が生じにくくなると共に、従来の履物を長期間使用することによって既に生じている胼胝を改善することができ、これに伴う疼痛を軽減させることができる。
【００１７】
また、請求項３記載の履物によれば、上記した請求項１又は請求項２記載の発明の本底を備えているので、歩行時における足の生理的な運動を阻害せず、歩行速度が上昇しても歩きやすく、疲れにくくなる。
【００１８】
また、請求項４記載の履物によれば、上記した請求項３記載の発明の履物において、ヒールの高さが３ｃｍ以上であるので、上記した請求項３記載の効果が顕著となる。
【発明を実施するための最良の形態】
【００２０】
以下、本発明の第１の実施形態を図面に基づいて説明する。図１は本発明の第１の実施形態である靴の本底（左足用）の底面図、図２は第１の実施形態の作用効果の説明図であり、左足の底面から見た骨格及びＣＯＰ軌跡、図３は図１の本底と左足の骨格との位置関係を示す図、図４は図１の本底を使用したパンプスを斜め下方から見た斜視図である。
【００２１】
図２によれば、通常の歩行速度において、足部が接地して踏み切るまでの間、足底圧力中心（Center Of Pressure、以下ＣＯＰと記す）の軌跡は、矢印７のように踵部から足部外側を通り、足幅を外側から内側へと横切るように進んで母趾部１２の先端とへ移動し、歩行速度が上昇するにしたがってＣＯＰの軌跡は次第に中心部側へ収束し、矢印８のようになる。
【００２２】
エネルギー効率の良い歩行とは、足の底面から垂直上方に向けて身長の約５５％の高さの位置にある重心点の移動範囲が小さいことであり、足部においてはＣＯＰ軌跡の横方向移動が中心側に収束することにより達せられる。このため歩行速度が上昇すると、エネルギー効率を良くしようとＣＯＰが矢印８の方向に変化するために、下肢の筋は通常歩行速度よりも筋負担が増加して疲労度が増す。
【００２３】
また踏み切り時には中足趾節関節部６より後方は接地しておらず、接地している前足部の底屈力が歩行の推進力となるため、この屈曲部である中足趾節関節部６が屈曲しやすければ運動伝達効率がよい。さらにこの部位の屈曲は歩行速度によって変化し、通常歩行では９の屈曲線、速歩では１０の屈曲線にしたがって行われることにより、生理的屈曲に近似するので運動伝達効率がよく、歩きやすく疲れにくい歩行を得ることができる。
【００２４】
本底の表面は滑り止めのためにエンボス加工等をしてもよい。
【００２５】
図１及び図３において、屈曲線９に沿って設けた円弧状の通常歩行用屈曲誘導溝１、屈曲線１０に沿って設け、本底をほぼ幅方向に横断する速歩用屈曲誘導溝２は、それぞれ深さ０．５乃至１．５ｍｍ程度とし、中足趾節関節部６の屈曲を補助誘導する。くの字型に屈曲した中央溝３は深さ０．５乃至１．５ｍｍ程度とし、歩行時の内外側の運動方向を補助誘導する。
【００２６】
本発明の本底の素材は、ゴム、発泡ラテックスなど、靴の本底に通常用いられている素材でよい。
【００２７】
本実施形態を構成する前部５、後部４、及びその間の部分は、一体形成されることが、強度および外観上好ましい。
【００２８】
本発明の本底は板状で一様の厚みを持ち、パンプス用には３乃至５ｍｍ程度、婦人用カジュアルシューズもしくは紳士靴用には５乃至１５ｍｍ程度の厚みとするのが好ましい。
【００２９】
図４は本発明の本底を用いたパンプスの例であるが、通常歩行用屈曲誘導溝１及び速歩用屈曲誘導溝２は中足趾節関節部６の生理的屈曲位置に合致させるため、履物のサイズに応じて本底の大きさも適切に増減させることが必要である。
【００３０】
歩行速度が変化すると履物の本底の屈曲部位が変化するが、本発明の本底はこれを補助誘導する溝を備えていることにより、生理的屈曲に近似した屈曲を行わせるため、歩きやすく疲れにくい歩行を得ることができる。
【００３１】
次に、本発明の第２の実施形態を説明する。図５は第２の実施形態である靴の本底（左足用）の底面図、図６は図５の本底に設けた除圧部と左足の骨格との位置関係を示す図である。
【００３２】
図５に示すように、本実施形態では、第２中足骨頭部１３（図６参照）及び第３中足骨頭部１４（図６参照）に対応する部位に、深さ１乃至３ｍｍ程度の窪み状の除圧部１１を設けている。
【００３３】
例えばパンプスのように前足部よりも踵部の方が高くなっていると、体重負荷は前足部に集中して足骨格を保持する横アーチが消失し、本来体重を受ける骨形態になっていない第２中足骨頭部１３と第３中足骨頭部１４に圧力が集中するので、生体防御反応として当該部位に胼胝を生じ、疼痛の発生や歩きにくくなるといった問題がある。
【００３４】
このため第２中足骨頭部１３と第３中足骨頭部１４において、体重負荷に対する地面からの反作用としての圧力を集中させないため、除圧部１１を設けて地面に接しないようにして当該部分を除圧すると、胼胝を生じにくくするばかりか、従来の履物を長期間使用することによって既に生じている胼胝を改善することができ、これに伴う疼痛を軽減させることができる。
【００３５】
なお、上記実施形態では、先端部に丸みを持たせた形状の本底及び履物を例に挙げて説明したが、先端部が尖った形状のもの等、いかなる形状のものにも本発明を適用することができる。その他にも、本発明の要旨を逸脱しない範囲で上記実施形態に種々の改変を施すことができる。
【図面の簡単な説明】
【００３６】
【図１】本発明の第１の実施形態である靴の本底（左足用）の底面図である。
【図２】第１の実施形態の作用効果の説明図であり、左足の底面から見た骨格及び方向時のＣＯＰ軌跡である。
【図３】図１の本底と左足の骨格との位置関係を示す図である。
【図４】図１の本底を使用したパンプスの斜め下方から見た斜視図である。
【図５】本発明の第２の実施形態である靴の本底（左足用）の底面図である。
【図６】図５の本底に設けた除圧部と左足の骨格との位置関係を示す図である。
【符号の説明】
【００３７】
１    通常歩行用屈曲誘導溝
２    速歩用屈曲誘導溝
３    中央溝
４    後部
５    前部
６    中足趾節関節部
１１    除圧部
１２    母趾部
１３    第２中足骨頭部
１４    第３中足骨頭部
【図１】
0004624811.tif 000002
【図２】
0004624811.tif 000003
【図３】
0004624811.tif 000004
【図４】
0004624811.tif 000005
【図５】
0004624811.tif 000006
【図６】
0004624811.tif 000007